(57)【要約】  本発明は無線通信のユーザー機器側用と基地局側用の装置と方法を提供する。ユーザー機器側は装置(１００)は、ユーザー機器のサービングセル及び/又は隣接セルの無線リソース管理用のセル専用のダイナミックオフセット情報を取得するように配置され、セル専用のダイナミックオフセットが相応するセルの伝送容量に関係し、伝送容量がセルマルチアンテナ伝送機能ゲインと、負荷状況との少なくとも一つを含む情報取得ユニット(１０１)と、サービングセルと隣接セルとの参照信号を測定するように配置される測定ユニット(１０２)と、ユーザー機器の接続状態に応じて、セル専用のダイナミックオフセット、及びサービングセルと隣接セルとの測定結果に基づいて、セル再選択又は測定報告を行うように配置されるセル再選択/測定報告ユニット(１０３)とを含む。
2018510527.tif 000002
【特許請求の範囲】
【請求項１】
無線通信のユーザー機器側用の装置であって、
前記ユーザー機器のサービングセル及び/又は隣接セルの無線リソース管理用のセル専用のダイナミックオフセット情報を取得するように配置され、セル専用のダイナミックオフセットが相応するセルの伝送容量に関係し、前記伝送容量がセルマルチアンテナ伝送機能ゲインと、負荷状況との少なくとも一つを含む情報取得ユニットと、
前記サービングセルと前記隣接セルとの参照信号を測定するように配置される測定ユニットと、
前記ユーザー機器の接続状態に応じて、前記セル専用のダイナミックオフセット、及び前記サービングセルと前記隣接セルとに対する測定結果に基づいて、セル再選択又は測定報告を行うように配置されるセル再選択/測定報告ユニットとを含む装置。
【請求項２】
前記セルマルチアンテナ伝送機能ゲインは、セルプリコーディングゲイン及び/又はビームフォーミングゲインを含む請求項１に記載の装置。
【請求項３】
前記セル専用のダイナミックオフセットはセル負荷に関係し、負荷が大きいほど、オフセット値が小さくなる請求項２に記載の装置。
【請求項４】
前記情報取得ユニットは、前記ユーザー機器の無線リソース制御接続状態が接続済みである場合に、前記ユーザー機器のサービングセルからの測定配置情報を取得するように配置され、前記測定配置情報は、前記ダイナミックオフセット、及び前記ダイナミックオフセットを加味した報告トリガーイベントに関する測定報告配置を含む請求項１に記載の装置。
【請求項５】
前記セル再選択/測定報告ユニットは、
少なくとも、前記セル専用のダイナミックオフセットと、前記測定結果と、前記測定報告配置とに基づいて、前記測定報告をトリガーするように配置される測定報告トリガーモジュールをさらに含む請求項４に記載の装置。
【請求項６】
前記セル再選択/測定報告ユニットは、前記セル専用のダイナミックオフセットを加味した報告トリガーイベントを満たす隣接セルの測定結果を測定報告に含ませるように配置される測定報告生成モジュールをさらに含む請求項４に記載の装置。
【請求項７】
前記セル専用のダイナミックオフセット情報が含まれた測定配置情報は、RRCシグナリングに含まれる請求項４に記載の装置。
【請求項８】
セル再選択の完了後、セル再選択の対象セルへ、特定された時セルダイナミックオフセットを加味したことを示す機器能力マークを送信するように配置される能力マーク送信ユニットをさらに含む請求項１に記載の装置。
【請求項９】
前記能力マーク送信ユニットは、RRCシグナリングで前記機器能力マークを送信するように配置される請求項８に記載の装置。
【請求項１０】
前記測定結果は、参照信号受信電力と参照信号受信品質との少なくとも一つに関する測定値を含む請求項１に記載の装置。
【請求項１１】
前記セル再選択/測定報告ユニットは、前記セル専用のダイナミックオフセット情報と、前記測定結果とに基づいて、測定したセルに対してソートを行い、ソート結果に基づいて、アクセスするセルを特定するように配置される請求項１０に記載の装置。
【請求項１２】
前記情報取得ユニットは、システム情報又は前記ユーザー機器に記録されている履歴情報により前記セル専用のダイナミックオフセット情報を取得する請求項１に記載の装置。
【請求項１３】
前記情報取得ユニットは、前記サービングセルの基地局からRRCシグナリングを受信することで、前記サービングセルと隣接セルとのセル専用のダイナミックオフセット情報を取得する請求項１に記載の装置。
【請求項１４】
無線通信の基地局側用の装置であって、
前記基地局のサービングセル及び/又は隣接セルの無線リソース管理用のセル専用のダイナミックオフセットを含む指示情報を生成し、前記基地局のサービングするユーザー機器を指示するために用いられるように配置され、セル専用のダイナミックオフセットが相応するセルの伝送容量に関係し、前記伝送容量がセルマルチアンテナ伝送機能ゲインと、負荷状況との少なくとも一つを含む指示生成ユニットと、
前記セル専用のダイナミックオフセットに基づいて、ユーザー機器に対する無線リソース管理を行うように配置される無線リソース管理ユニットとを含む装置。
【請求項１５】
前記セルマルチアンテナ伝送機能ゲインは、セルプリコーディングゲイン及び/又はビームフォーミングゲインを含む請求項１４に記載の装置。
【請求項１６】
前記セル専用のダイナミックオフセットはセル負荷に関係し、負荷が大きいほど、オフセット値が小さくなる請求項１５に記載の装置。
【請求項１７】
前記基地局のサービングするユーザー機器へ前記指示情報を送信し、且つ、ユーザー機器からのアクセス要求又は測定報告を受信するように配置される通信ユニットをさらに含む請求項１４〜１６のいずれか一項に記載の装置。
【請求項１８】
前記通信ユニットは、さらに、前記ユーザー機器から、当該ユーザー機器がセル専用のダイナミックオフセットを加味したことを示す機器能力マークを受信するように配置され、
前記機器能力マークは前記アクセス要求がセル専用のダイナミックオフセットを加味したことを示した場合に、前記無線リソース管理ユニットは、前記ユーザー機器にマルチアンテナ伝送方案を優先的に特定するように配置される請求項１７に記載の装置。
【請求項１９】
前記指示生成ユニットは、前記セル専用のダイナミックオフセットをシステム情報に含ませ、前記通信ユニットはブロードキャストチャネルにより前記セル専用のダイナミックオフセットを含むシステム情報を送信する請求項１７に記載の装置。
【請求項２０】
前記指示生成ユニットは、前記セル専用のダイナミックオフセットをRRCシグナリングに含ませ、前記通信ユニットはデータチャネルにより前記セル専用のダイナミックオフセットを含むRRCシグナリングを送信する請求項１７に記載の装置。
【請求項２１】
前記指示生成ユニットは、前記ユーザー機器の測定報告に用いられるように、前記セル専用のダイナミックオフセット、及び前記セル専用のダイナミックオフセットを加味した報告トリガーイベントに関する測定報告配置を、RRCシグナリングの測定配置情報に含ませる請求項２０に記載の装置。
【請求項２２】
前記無線リソース管理ユニットは、前記ユーザー機器からの測定報告に含まれる隣接セルの測定結果を特定し、隣接セルの測定結果と、相応するセル専用のダイナミックオフセットとに基づいて、前記ユーザー機器用の対象アクセスセルを特定する請求項２１に記載の装置。
【請求項２３】
前記無線リソース管理ユニットは、当該測定結果に対応する報告トリガーイベントに基づいて、前記対象アクセスセルが前記ユーザー機器の切替対象セル、デュアルコネクティビティ対象セル又はキャリアアグリゲーション対象セルの少なくとも一つであることを特定する請求項２２に記載の装置。
【請求項２４】
無線通信の基地局側用の装置であって、
隣接基地局と、各々のサービングセルの無線リソース管理用のセル専用のダイナミックオフセット情報を交換するように配置され、セル専用のダイナミックオフセットが相応するセルの伝送容量に関係し、前記伝送容量がセルマルチアンテナ伝送機能ゲインと、負荷状況との少なくとも一つを含む通信ユニットと、
前記基地局と前記隣接基地局とのサービングセルのセル専用のダイナミックオフセット情報に基づいて、前記基地局のユーザー機器に対して無線リソース管理を行うように配置される無線リソース管理ユニットとを含む装置。
【請求項２５】
前記通信ユニットはX２通信インタフェースに対応し、前記通信ユニットは、X２メッセージのCell Information Itemにおける情報ビットにより前記セル専用のダイナミックオフセット情報を交換する請求項２４に記載の装置。
【請求項２６】
無線通信のユーザー機器側用の方法であって、
前記ユーザー機器のサービングセル及び/又は隣接セルの無線リソース管理用のセル専用のダイナミックオフセット情報を取得し、セル専用のダイナミックオフセットが相応するセルの伝送容量に関係し、前記伝送容量がセルマルチアンテナ伝送機能ゲインと、負荷状況との少なくとも一つを含み、
前記サービングセルと前記隣接セルとの参照信号を測定し、且つ、
前記ユーザー機器の接続状態に応じて、前記セル専用のダイナミックオフセット、及び前記サービングセルと前記隣接セルとに対する測定結果に基づいて、セル再選択又は測定報告を行うことを含む方法。
【請求項２７】
無線通信の基地局側用の方法であって、
前記基地局のサービングセル及び/又は隣接セルの無線リソース管理用のセル専用のダイナミックオフセットを含む指示情報を生成し、前記基地局のサービングするユーザー機器を指示するために用いられ、セル専用のダイナミックオフセットが相応するセルの伝送容量に関係し、前記伝送容量がセルマルチアンテナ伝送機能ゲインと、負荷状況との少なくとも一つを含み、且つ、
前記セル専用のダイナミックオフセットに基づいてユーザー機器に対する無線リソース管理を行うことを含む方法。
【請求項２８】
無線通信の基地局側用の方法であって、
隣接基地局と、各々のサービングセルの無線リソース管理用のセル専用のダイナミックオフセット情報を交換し、セル専用のダイナミックオフセットが相応するセルの伝送容量に関係し、前記伝送容量がセルマルチアンテナ伝送機能ゲインと、負荷状況との少なくとも一つを含み、且つ、
前記基地局と前記隣接基地局とのサービングセルのセル専用のダイナミックオフセット情報に基づいて、前記基地局のユーザー機器に対して無線リソース管理を行うことを含む方法。
【請求項２９】
一つ又は複数のプロセッサを含む、無線通信のユーザー機器側用の装置であって、
前記一つ又は複数のプロセッサは、
前記ユーザー機器のサービングセル及び/又は隣接セルの無線リソース管理用のセル専用のダイナミックオフセット情報を取得し、セル専用のダイナミックオフセットが相応するセルの伝送容量に関係し、前記伝送容量がセルマルチアンテナ伝送機能ゲインと、負荷状況との少なくとも一つを含み、
前記サービングセルと前記隣接セルとの参照信号を測定し、且つ、
前記ユーザー機器の接続状態に応じて、前記セル専用のダイナミックオフセット、及び前記サービングセルと前記隣接セルとに対する測定結果に基づいて、セル再選択又は測定報告を行うように配置される装置。
【請求項３０】
前記装置は、ユーザー機器であり、
前記セル専用のダイナミックオフセット情報を受信し、且つ、
前記隣接セルへランダムアクセス要求を、又は前記サービングセルへ前記測定報告を送信するように配置されるトランシーバをさらに含む請求項２９に記載の装置。
【請求項３１】
一つ又は複数のプロセッサを含む、無線通信の基地局側用の装置であって、
前記一つ又は複数のプロセッサは、
前記基地局のサービングセル及び/又は隣接セルの無線リソース管理用のセル専用のダイナミックオフセットを含む指示情報を生成し、前記基地局がサービングするユーザー機器を指示するために用いられ、セル専用のダイナミックオフセットが相応するセルの伝送容量に関係し、前記伝送容量がセルマルチアンテナ伝送機能ゲインと、負荷状況との少なくとも一つを含み、且つ、
前記セル専用のダイナミックオフセットに基づいて、ユーザー機器に対する無線リソース管理を行うように配置される装置。
【請求項３２】
一つ又は複数のプロセッサを含む、無線通信の基地局側用の装置であって、
前記一つ又は複数のプロセッサは、
隣接基地局と各々のサービングセルの無線リソース管理用のセル専用のダイナミックオフセット情報を交換し、セル専用のダイナミックオフセットが相応するセルの伝送容量に関係し、前記伝送容量がセルマルチアンテナ伝送機能ゲインと、負荷状況との少なくとも一つを含み、且つ、
前記基地局と前記隣接基地局とのサービングセルのセル専用のダイナミックオフセット情報に基づいて、前記基地局のユーザー機器に対して無線リソース管理を行うように配置される装置。
【請求項３３】
前記装置は、基地局であり、
前記ユーザー機器へ前記セル専用のダイナミックオフセット情報を送信するように配置されるトランシーバをさらに含む請求項３１又は３２に記載の装置。
【請求項３４】
回路を含む、無線通信の基地局装置側用の装置であって、
前記回路は、
ユーザー機器がセル再選択を行うためのシステム情報を生成し、サービングセルのセル負荷状況に関するセル再選択パラメータを情報ユニットSystemInformationBlockType３に含ませ、隣接セルのセル負荷状況に関するセル再選択パラメータを情報ユニットSystemInformationBlockType５に含ませ、且つ、
前記システム情報を前記ユーザー機器に提供するように配置される装置。
【請求項３５】
前記隣接セルのセル負荷が小さいほど、当該隣接セルが対象セルとして再選択される可能性が大きくなる請求項３４に記載の装置。
【請求項３６】
前記セル負荷状況に関するセル再選択パラメータは、相応するセルのサービス状態に応じて動的変更する請求項３４に記載の装置。
【請求項３７】
前記装置は、X２通信インタフェースから情報を取得して、隣接セルのセル負荷状況に関するセル再選択パラメータを特定する請求項３６に記載の装置。
【請求項３８】
回路を含む、無線通信のユーザー機器側用の装置であって、
前記回路は、
前記ユーザー機器がセル再選択を実行するためのシステム情報を取得し、情報ユニットSystemInformationBlockType３によりサービングセルのセル負荷状況に関するセル再選択パラメータを取得し、情報ユニットSystemInformationBlockType５により隣接セルのセル負荷状況に関するセル再選択パラメータを取得し、
RRCアイドル状態において、前記サービングセルと前記隣接セルとを測定し、且つ、
セル負荷状況に関する前記セル再選択パラメータ、及び前記サービングセルと前記隣接セルとの測定結果に基づいて、セル再選択を行うように配置される装置。
【請求項３９】
前記隣接セルのセル負荷が小さいほど、当該隣接セルが対象セルとして再選択される可能性が大きくなる請求項３８に記載の装置。
【請求項４０】
無線通信の基地局装置側用の方法であって、
ユーザー機器がセル再選択を実行するためのシステム情報を生成し、サービングセルのセル負荷状況に関するセル再選択パラメータを情報ユニットSystemInformationBlockType３に含ませ、隣接セルのセル負荷状況に関するセル再選択パラメータを情報ユニットSystemInformationBlockType５に含ませ、且つ、
前記システム情報を前記ユーザー機器に提供することを含む方法。
【請求項４１】
無線通信のユーザー機器側用の方法であって、
前記ユーザー機器がセル再選択を実行するためのシステム情報を取得し、情報ユニットSystemInformationBlockType３によりサービングセルのセル負荷状況に関するセル再選択パラメータを取得し、情報ユニットSystemInformationBlockType５により隣接セルのセル負荷状況に関するセル再選択パラメータを取得し、
RRCアイドル状態において、前記サービングセルと前記隣接セルとを測定し、且つ、
セル負荷状況に関する前記セル再選択パラメータ、及び前記サービングセルと前記隣接セルとの測定結果に基づいて、セル再選択を行うことを含む方法。
【発明の詳細な説明】
【技術分野】
【０００１】
本発明の実施例は、全体として、無線通信分野に関し、具体的に、無線通信における無線リソース管理に関し、より具体的に、無線通信のユーザー機器側用の装置と方法、及び無線通信の基地局側用の装置と方法に関する。
【背景技術】
【０００２】
無線通信システム、例えばLTEシステムでは、チャネルの測定結果に応じてセル再選択、セル切替、キャリアアグリゲーション、デュアルコネクティビティなどのさまざまな無線リソース管理操作を行う。具体的に、現在のLTE通信システムにおいてRRCアイドル状態にあるユーザー機器は、サービングセル(Serving cell)と隣接セルとの信号強度を測定してセル再選択操作を行う。ユーザー機器のサービングセルは、そのシステム情報に隣接セルを指示せず、ユーザー機器自身によりセルサーチ及び測定を行って隣接セルを検出する。ユーザー機器は、S基準に基づいて隣接セルへの測定を起動し、R基準に基づいてセル再選択の判断を行う。現在のR基準では、サービングセルを含むそれぞれのセルのダイナミック特性を考慮しないので、例えば、大規模MIMO、強化するスモールセルに関して、サービス負荷バランスを行う幾つかの場面において、現在の標準に応じたセル再選択の結果は理想的ではないかもしれない。
【０００３】
また、現在のRRM測定メカニズムでは、ユーザー機器による測定結果の報告トリガー判断も、上記のセルのダイナミック特性を考慮しないので、ユーザー機器側で、例えば幾つかの候補セルとして適する隣接セルの報告漏れがあるおそれがあり、従って、基地局はユーザー機器の測定報告結果に基づいて行わる例えば切替などのリソース管理決定は合理的ではないかもしれない。
【発明の概要】
【０００４】
以下、本発明に関する簡単な概説を説明して、本発明のある局面に関する基本的理解を提供する。この概説が本発明に関する取り尽くし的概説ではないと理解すべきであり、本発明のポイント又は重要部分を意図的に特定するものではなく、本発明の範囲を意図的に限定するものでもない。その目的は、単に、簡素化の形式で、ある概念を提供して、後記のより詳しい技術の前述とすることである。
【０００５】
本願による一局面によれば、無線通信のユーザー機器側用の装置を提供し、ユーザー機器のサービングセル及び/又は隣接セルの無線リソース管理用のセル専用のダイナミックオフセット情報を取得するように配置され、セル専用のダイナミックオフセットが相応するセルの伝送容量に関係し、伝送容量がセルマルチアンテナ伝送機能ゲインと、負荷状況との少なくとも一つを含む情報取得ユニットと、サービングセルと隣接セルとの参照信号を測定するように配置される測定ユニットと、ユーザー機器の接続状態に応じて、セル専用のダイナミックオフセット、及びサービングセルと隣接セルの測定結果に基づいて、セル再選択又は測定報告を行うように配置されるセル再選択/測定報告ユニットとを含む。
【０００６】
本願による他の一局面によれば、基地局のサービングセル及び/又は隣接セルの無線リソース管理用のセル専用のダイナミックオフセットを含む指示情報を生成し、基地局のサービングするユーザー機器を指示するために用いられるように配置され、セル専用のダイナミックオフセットが相応するセルの伝送容量に関係し、伝送容量がセルマルチアンテナ伝送機能ゲインと、負荷状況との少なくとも一つを含む指示生成ユニットと、セル専用のダイナミックオフセットに基づいて、ユーザー機器に対する無線リソース管理を行うように配置される無線リソース管理ユニットとを含む。
【０００７】
本願によるさらに一局面によれば、無線通信の基地局側用の装置を提供し、隣接基地局と、各々のサービングセルの無線リソース管理用のセル専用のダイナミックオフセット情報を交換するように配置され、セル専用のダイナミックオフセットが相応するセルの伝送容量に関係し、伝送容量がセルマルチアンテナ伝送機能ゲインと、負荷状況との少なくとも一つを含む通信ユニットと、基地局と隣接基地局とのサービングセルのセル専用のダイナミックオフセット情報に基づいて、基地局のユーザー機器に対して無線リソース管理を行うように配置される無線リソース管理ユニットとを含む。
【０００８】
本願による他の一局面によれば、無線通信のユーザー機器側用の方法を提供し、ユーザー機器のサービングセル及び/又は隣接セルの無線リソース管理用のセル専用のダイナミックオフセット情報を取得し、セル専用のダイナミックオフセットが相応するセルの伝送容量に関係し、伝送容量がセルマルチアンテナ伝送機能ゲインと、負荷状況との少なくとも一つを含み、サービングセルと隣接セルとの参照信号を測定し、ユーザー機器の接続状態に応じて、セル専用のダイナミックオフセット、及びサービングセルと隣接セルとの測定結果に基づいてセル再選択又は測定報告を行うことを含む。
【０００９】
本願による他の一局面によれば、さらに、無線通信の基地局側用の方法を提供し、基地局のサービングセル及び/又は隣接セルの無線リソース管理用のセル専用のダイナミックオフセットを含む指示情報を生成し、基地局のサービングするユーザー機器を指示するために用いられ、セル専用のダイナミックオフセットが相応するセルの伝送容量に関係し、伝送容量がセルマルチアンテナ伝送機能ゲインと、負荷状況との少なくとも一つを含み、セル専用のダイナミックオフセットに基づいて、ユーザー機器に対する無線リソース管理を行うことを含む。
【００１０】
本願による一局面によれば、無線通信の基地局側用の方法を提供し、隣接基地局と各自のサービングセルの無線リソース管理用のセル専用のダイナミックオフセット情報を交換し、セル専用のダイナミックオフセットが相応するセルの伝送容量に関係し、伝送容量がセルマルチアンテナ伝送機能ゲインと、負荷状況との少なくとも一つを含み、基地局及び隣接基地局のサービングセルのセル専用のダイナミックオフセット情報に基づいて、基地局のユーザー機器に対して無線リソース管理を行うことを含む。
【００１１】
本願による他の一局面によれば、さらに、無線通信のユーザー機器側用の装置を提供し、ユーザー機器のサービングセル及び/又は隣接セルの無線リソース管理用のセル専用のダイナミックオフセット情報を取得し、セル専用のダイナミックオフセットが相応するセルの伝送容量に関係し、伝送容量がセルマルチアンテナ伝送機能ゲインと、負荷状況との少なくとも一つを含み、サービングセルと隣接セルとの参照信号を測定し、ユーザー機器の接続状態に応じて、セル専用のダイナミックオフセット、及びサービングセルと隣接セルとの測定結果に基づいてセル再選択又は測定報告を行うように配置される一つ又は複数のプロセッサを含む。
【００１２】
本願による他の一局面によれば、さらに無線通信の基地局側用の装置を提供し、基地局のサービングセル及び/又は隣接セルの、無線リソース管理用のセル専用のダイナミックオフセットを含む指示情報を生成し、基地局がサービングするユーザー機器を指示するために用いられ、セル専用のダイナミックオフセットが相応するセルの伝送容量に関係し、伝送容量がセルマルチアンテナ伝送機能ゲインと、負荷状況との少なくとも一つを含み、セル専用のダイナミックオフセットに基づいてユーザー機器に対する無線リソース管理を行うように配置される一つ又は複数のプロセッサを含む。
【００１３】
本願による他の一局面によれば、さらに、無線通信の基地局側用の装置を提供し、隣接基地局と各自のサービングセルの無線リソース管理用のセル専用のダイナミックオフセット情報を交換し、セル専用のダイナミックオフセットが相応するセルの伝送容量に関係し、伝送容量がセルマルチアンテナ伝送機能ゲインと、負荷状況との少なくとも一つを含み、基地局と隣接基地局とのサービングセルのセル専用のダイナミックオフセット情報に基づいて、基地局のユーザー機器に対して無線リソース管理を行うように配置される一つ又は複数のプロセッサを含む。
【００１４】
本発明による一局面によれば、さらに、上記無線通信のユーザー機器側用と基地局側用の方法を実現するためのコンピュータプログラムコードとコンピュータプログラム製品、及び該上記無線通信のユーザー機器側用と基地局側用の方法を実現するためのコンピュータプログラムコードが記録されているコンピュータ読み取り可能な記憶媒体を提供する。
【００１５】
本発明による装置と方法は、セル再選択/測定報告を行う際にセル専用のダイナミックオフセット情報を加味したことにより、実際の伝送容量が良いセルを選択できるようにする。
【００１６】
以下で図面に基づいて、本発明の好適な実施例を説明することにより、本発明の上記、及びその他の長所はより明らになるだろう。
【図面の簡単な説明】
【００１７】
以下、本発明の上記とその他の長所、特徴をさらに説明するために、図面に基づいて本発明の具体的な実施形態をより詳細に説明する。上記図面は以下の詳細な説明とともに本明細書に含まれ本明細書の一部を形成する。同じ機能と構造を有する素子は同一符号で示す。これらの図面はあくまでも本発明を記述する典型的例であり、本発明の範囲を限定するとみなすべきではない。図面において、
【図１】本願の一実施例による無線通信のユーザー機器側用の装置の構造ブロック図を示す。
【図２】本願の他の一実施例による無線通信のユーザー機器側用の装置の構造ブロック図を示す。
【図３】本願の一実施例による無線通信の基地局側用の装置の構造ブロック図を示す。
【図４】本願の一実施例による無線通信の基地局側用の装置の構造ブロック図を示す。
【図５】本願の一実施例による無線通信のユーザー機器側用の方法のフローチャートを示す。
【図６】本願の一実施例による無線通信の基地局側用の方法のフローチャートを示す。
【図７】本願の一実施例による無線通信の基地局側用の方法のフローチャートを示す。
【図８】本発明の実施例による方法及び/又は装置及び/又はシステムを実現できる汎用のパソコンの例示的構造を示すブロック図である。
【図９】本開示の技術を応用できる進化型ノードB(ｅＮＢ)の模式的な配置を示すブロック図である。
【図１０】端末装置の模式的な配置の例を例示するブロック図である。
【発明を実施するための形態】
【００１８】
以下、図面に基づいて、本発明の例示的な実施例を記述する。明瞭且つ簡単にするために、明細書において実際の実施形態の全部の特徴を記述していない。但し、理解すべきことは、開発者の具体的な目標を実現するように、このような実際の実施例のいずれを開発する過程で実施形態に特定する決定をしなければならず、例えば、システム及び業務に関する制限条件に適し、且つこれらの制限条件は、実施形態によって変わる可能性がある。なお、さらに、理解すべきことは、開発仕事が非常に複雑で、時間がかかる可能性があるが、本開示の内容に得意な当業者にとって、このような開発仕事はルーチン任務に過ぎない。
【００１９】
ここで、さらに説明する必要があるのは、不要な内容によって本発明を不明確にすることを避けるために、図面において、少なくとも本発明の方案に緊密に関係する装置構成及び／又は処理ステップのみを示し、本発明にさほど関係のない他の内容を省略した。
【００２０】
<第１の実施例>
図１は、本願の一実施例による無線通信のユーザー機器側用の装置１００の構造ブロック図を示しており、装置１００は、ユーザー機器のサービングセル及び/又は隣接セルの無線リソース管理用のセル専用のダイナミックオフセット情報を取得するように配置され、セル専用のダイナミックオフセットが相応するセルの伝送容量に関係し、伝送容量が、セルマルチアンテナ伝送機能ゲインと、負荷状況との少なくとも一つを含む情報取得ユニット１０１、サービングセルと隣接セルとの参照信号を測定するように配置される測定ユニット１０２と、ユーザー機器の接続状態に応じて、セル専用のダイナミックオフセット、及びサービングセルと隣接セルとに対する測定結果に基づいて、セル再選択又は測定報告を行うように配置されるセル再選択/測定報告ユニット１０３とを含む。従来のLTEシステムにおいて、ユーザー機器がセル切替等の無線リソース管理操作に用いられる測定報告値は、単一のアンテナポートに対応するチャネルのみに対するものであるため、セル基地局のマルチアンテナ伝送機能ゲインが無視されることになるので、例えばユーザー機器がマルチアンテナ伝送機能ゲインが大きいため実際の容量が良いセルにアクセスせず、マルチアンテナ伝送機能ゲインが小さいため実際の容量が悪いセルにアクセスすることを招くおそれがある。
【００２１】
装置１００において、情報取得ユニット１０１は、ユーザー機器のサービングセル及び/又は隣接セルの無線リソース管理用のセル専用のダイナミックオフセット情報を取得し、セル再選択/測定報告ユニット１０３は、セル再選択又は測定報告を行う際にセル専用のダイナミックオフセットの情報を利用して、実際の容量が良いセルをより正確に特定することができる。なお、セル専用のダイナミックオフセットは、セルに特定され動的変更可能なものであり、異なるセルには一般に異なるダイナミックオフセット値を有する。
【００２２】
具体的に、情報取得ユニット１０１は、サービングセル(本セル)と隣接セルとの両者のセル専用のダイナミックオフセット情報を取得してもよく、いずれか一つを取得してもよい。例えば、セル切替に用いられる測定報告イベント配置において、隣接セルのセル専用のダイナミックオフセットのみを取得することができ、これは、本基地局が本セルの具体的な状況を自然に知っているので無線リソース管理決定を行う際に考慮するからであり、セル再選択を行う際に、情報取得ユニット１０１は、例えば本セルのみのセル専用のダイナミックオフセットを取得してもよく、例えばセル再選択/測定報告ユニット１０３は、本セルの測定結果とセル専用のダイナミックオフセットとを加算し且つ他のセルの測定結果と比較してアクセスするセルを特定し、このようにすれば、頻繁なセル再選択を避けることができる。
【００２３】
セル再選択/測定報告ユニット１０３は、ユーザー機器の接続状態、例えば無線リソース制御(RRC)の接続済み状態にあるか否かに応じて、セル専用のダイナミックオフセットと、測定ユニット１０２の測定結果とに基づいて、セル再選択又は測定報告を行う。例えば、RRC接続済み状態にある場合に、測定報告を行い、RRCアイドル(idle)状態にある場合に、セル再選択を行う。
【００２４】
一つの例において、測定ユニット１０２の測定結果は、参照信号受信電力(RSRP)と参照信号受信品質(RSRQ)との少なくとも一つに関する測定値を含む。
【００２５】
例えば、セル再選択/測定報告ユニット１０３は、セル専用のダイナミックオフセット情報と、上記測定結果とに基づいて、測定したセルに対してソートを行い、且つソート結果に基づいてアクセスするセルを特定するように配置されてもよい。例として、セル再選択/測定報告ユニット１０３は、セル毎のセル専用のダイナミックオフセット情報と測定結果とを組み合わせて当該セルの伝送容量を得て、且つ伝送容量の最も良いセルを、アクセスするセルとして特定してもよい。又は、セル再選択/測定報告ユニット１０３は、伝送容量が最も良く且つシグナリング伝送を確保できるセルを、アクセスするセルとして特定してもよく、この例は、あるシグナリング、例えばPDCCHシグナリング等の制御シグナリングがマルチアンテナ処理を経たないことでマルチアンテナゲインを享受できない場合に適用するので、ユーザー機器によるシグナリングの受信品質が一定の程度に到達することを要求する必要があり、例えば、測定結果自身が一定の閾値に到達することを要求してもよい。
【００２６】
例えば、セル再選択を行う際に、ユーザー機器は、取得したセル専用のダイナミックオフセット情報と、測定結果とに基づいて測定したセルに対してソートを行い、伝送容量の最も良いセルを選択してアクセスしてもよい。本発明のセル再選択の思想を基に、さらに従来のセル再選択ルールと組み合わせることができ、本発明は制限を意図しないことが理解される。
【００２７】
一つの具体的な例において、ユーザー機器は、サービングセルと隣接セルとの参照信号を測定し、RSRPで計量する測定値Qmeas,s及びQmeas,nをそれぞれ得て、基地局が通知する、セル専用のダイナミックオフセットを含むセル再選択パラメータに基づいて、下式に従ってセルソートを行う：
【００２８】
【数１】
2018510527.tif 000003
【００２９】
ただし、Rs’は、サービングセルがセルソートに関与することに用いられるR参照値を表し、Rn’は隣接セルがセルソートに関与することに用いられるR参照値を表し、Qoffsetdyn,sはサービングセルのセル専用のダイナミックオフセットを表し、Qoffsetdyn,nは隣接セルのセル専用のダイナミックオフセットを表し、また、例えば３GPPの技術規格のTS３６.３３１及びTS２５.３３１に規定されるものであり、QHystはソート基準のヒステリシス値を表し、Qoffsetはサービングセルと相応する隣接セルとが同一周波数であるか異なる周波数であるかに基づいてOAMスタティック配置である二つのセルの間のオフセット又は周波数専用のオフセットをそれぞれ表し、Qoffsettempは各セルに共通の一時オフセット値を表す。ユーザー機器は上記方式により算出して得られたR参照値に応じて、S基準を満たす全てのセルに対してソートを行い、幾つかの例において、第一位に並べた最適なセルを選択してセル再選択操作を行う。
【００３０】
他の一つの代替例において、ユーザー機器は、まず従来の基準におけるR基準に応じて参照値RsとRnを算出し、例えば下式に従って算出する：
【００３１】
【数２】
2018510527.tif 000004
【００３２】
ただし、式(３)と(４)における同一の符号は式(１)と(２)と同じ意味を表す。その後、ユーザー機器は、参照値RnがサービングセルのRsよりも大きい複数の候補隣接セルをスクリーニングし、これらの複数の候補隣接セルについてそれぞれRn’を算出し、セルソートを行い、Rn’値が最も大きい隣接セルを再選択対象とすることで、実際の伝送容量が最適なセルを再選択する。この例において、ユーザー機器は、サービングセルのセル専用のダイナミックオフセットQoffsetdyn,sを使用する必要がないので、当該値を設置しないことができ、シグナリング消費を低減させる。
【００３３】
当業者は従来技術及び上記例に応じて他の組合せ又は変形方式を設計することができ、例えばユーザー機器は基地局のみからQoffsetdyn,sとQoffsetdyn,nとの差分を、相応する隣接セルのセル専用のダイナミックオフセットとして受信するとともに、Rn’を算出する際にQoffsetdyn,sとQoffsetdyn,nとの差分を使用し、Rsに合わせてセルソートを行い、本発明はここで一つ一つ挙げないことにする。
【００３４】
なお、情報取得ユニット１０１は、システム情報又はユーザー機器に記録されている履歴情報によりセル専用のダイナミックオフセット情報を取得してもよい。なお、システム情報は、例えばブロードキャストチャネル(例えばBCCH)により取得され、履歴情報は、例えば、この前に当該ユーザー機器があるセルにアクセスした際にそれから取得した当該セルと隣接セルとのセル専用のダイナミックオフセット情報である。又は、履歴情報は、当該ユーザー機器が、毎回一つのセルにアクセスした際に記録された当該セルのセル専用のダイナミックオフセット情報であってもよい。情報取得ユニット１０１は、例えば、ユーザー機器がRRC idleにある場合に、これらのシステム情報又は履歴情報を、隣接セルのセル専用のダイナミックオフセット情報として例えばセル再選択を行ってもよい。
【００３５】
また、情報取得ユニット１０１は、さらに、サービングセルの基地局によりRRCシグナリングを受信することにより、サービングセルと隣接セルとのセル専用のダイナミックオフセット情報を取得することができる。例えば、情報取得ユニット１０１は、ユーザー機器とサービングセルとがRRC接続を確立した際に、隣接セルのIDと、相応するダイナミックオフセット情報とを取得し、例えば、RRCメッセージの情報ユニットSystemInformationBlockType４及び/又はSystemInformationBlockType５において各セルのダイナミックオフセット情報を取得する。RRC idle状態においてこの前に記録した隣接セルのダイナミックオフセット情報と、取得した隣接セルIDとを用いて現在測定する隣接セルのダイナミックオフセット情報を特定する。
【００３６】
以上のマルチアンテナ伝送機能ゲインは、例えば、セルプリコーディングゲイン及び/又はビームフォーミングゲインを含んでもよい。また、一つの例において、セル専用のダイナミックオフセットはセル負荷にも関係し、負荷が大きいほど、オフセット値が小さくなる。
【００３７】
<第２の実施例>
以下、本願による無線通信のユーザー機器側用の装置は測定報告に用いられる例を記述する。一般に、基地局は上位層シグナリングによりユーザー機器に対して無線リソース管理(RRM)測定配置を行うとともに、ユーザー機器が当該配置に従ってフィードバックする隣接セルと本セルとのRRM測定結果に基づいて、無線リソース管理決定、例えばセル切替、デュアルコネクティビティ起動又は調整、キャリアアグリゲーション起動又はキャリアアグリゲーション調整などをする。
【００３８】
本実施例において、情報取得ユニット１０１は、ユーザー機器の無線リソース制御(RRC)接続状態が接続済みである場合に、ユーザー機器のサービングセルからの測定配置情報を取得するように配置され、測定配置情報は、例えばダイナミックオフセットと、ダイナミックオフセットを加味した報告トリガーイベントに関する測定報告配置とを含む。
【００３９】
注意されたいのは、当該報告トリガーイベントは、本願に新たに定義されたダイナミックオフセットの要因を加味したイベントであり、後記で詳細な記述を行う。言い換えれば、情報取得ユニット１０１は、サービングセル(基地局)からダイナミックオフセットを加味した報告トリガーイベントを含むトリガー条件などの測定報告配置の情報、及び関連するダイナミックオフセットの情報を取得する。例えば、セル専用のダイナミックオフセット情報が含まれた上記測定配置情報は、RRCシグナリングに含まれてもよく、具体的に、RRCシグナリングのMeasObjectEUTRA(例えばCellsToAddMod)に含まれてもよく、測定報告配置に関する情報は、例えばmeasconfig IEに含まれてもよい。
【００４０】
一つの例として、セル再選択/測定報告ユニット１０３は、少なくともセル専用のダイナミックオフセットと、測定結果と、測定報告配置とに基づいて測定報告をトリガーするように配置される測定報告トリガーモジュールを含んでもよい。例えば、測定報告トリガーモジュールは、いずれか一つ又は複数のセルにおけるセル専用のダイナミックオフセットと測定結果が測定報告配置において定義された測定報告イベントを満たす場合に、該当するセルのIDを測定報告に追加して測定報告をトリガーし、例えば当該測定報告により、基地局へ伝送容量の最も良い隣接セルを報告して当該隣接セルに切替られる。
【００４１】
他の一つの例として、セル再選択/測定報告ユニット１０３は、セル専用のダイナミックオフセットを加味した報告トリガーイベントを満たす隣接セルの測定結果を測定報告に含ませるように配置される測定報告生成モジュールを含んでもよい。このような場合、ユーザー機器側は、対象セルの判断を行わず、測定結果を基地局に報告し、例えば基地局により対象セルを選択して、セル切替、デュアルコネクティビティ、キャリアアグリゲーションなどの管理操作を行う。
【００４２】
<第３の実施例>
以下、本願による無線通信のユーザー機器側用の装置がセル再選択に用いられる例を記述する。当該例において、ユーザー機器がRRC idleの状態にあり、情報取得ユニット１０１は、例えば上記のようなシステム情報又は履歴情報によりセル専用のダイナミックオフセット情報を取得してもよく、セル再選択/測定報告ユニット１０３は、例えば当該セル専用のダイナミックオフセット情報と測定ユニット１０２の測定結果とに基づいて伝送容量の最も良いセルをアクセスするセルとして特定してもよく、例えば第１実施例におけるセルソート方式により特定する。
【００４３】
また、図２に示すように、当該実施例による装置２００は、図１を参照して説明された装置１００の部品以外にも、セル再選択の完了後、セル再選択の対象セルへ、特定された時セルダイナミックオフセットを加味したことを示す機器能力マークを送信するように配置される能力マーク送信ユニット２０１をさらに含んでよい。このように、対象セルは、例えば、当該ユーザー機器にマルチ伝送方案を優先的に配置してもよい。
【００４４】
例えば、能力マーク送信ユニット２０１は、RRCシグナリングで機器能力マークを送信するように配置されてもよい。また、例えば、能力マーク送信ユニット２０１は、ランダムアクセス要求シグナリングで機器能力マークを送信するように配置されてもよい。
【００４５】
上記装置１００、２００は、セル再選択又は測定報告を行う際に、セル専用のダイナミックオフセット情報を加味することで、セルの実際の機能を正確に反映できるので、より正確な決定に寄与する。
【００４６】
<第４実施例>
図３には、本願の一実施例による無線通信の基地局側用の装置３００の構造ブロック図を示しており、装置３００は、基地局のサービングセル及び/又は隣接セルの無線リソース管理用のセル専用のダイナミックオフセットを含む指示情報を生成し、基地局のサービングするユーザー機器を指示するために用いられるように配置され、セル専用のダイナミックオフセットが相応するセルの伝送容量に関係し、伝送容量がセルマルチアンテナ伝送機能ゲインと、負荷状況との少なくとも一つを含む指示生成ユニット３０１と、セル専用のダイナミックオフセットに基づいて、ユーザー機器への無線リソース管理を行うように配置される無線リソース管理ユニット３０２とを含む。
【００４７】
前記のように、マルチアンテナ伝送機能ゲインは、セルプリコーディングゲイン及び/又はビームフォーミングゲインを含んでもよい。セル専用のダイナミックオフセットは、セル負荷に関係してもよく、負荷が大きいほど、オフセット値が小さくなる。なお、セルのマルチアンテナ伝送機能ゲインとセル負荷は、相応するセルの動作状態に応じて動的変更し、例えばマルチアンテナが配置されたセルのマルチアンテナ伝送機能は現在サービングするユーザーの数につれて変化する可能性がある。
【００４８】
装置３００において、指示生成ユニット３０１は、セル専用のダイナミックオフセットを含む指示情報を生成し、且つ無線リソース管理ユニット３０２は、当該ダイナミックオフセットに基づいて無線リソース管理、例えば、セル切替、デュアルコネクティビティ、キャリアアグリゲーションなどの操作を行う。
【００４９】
図３における破線枠に示すように、装置３００は、基地局のサービングするユーザー機器へ指示情報を送信し、且つ、ユーザー機器からのアクセス要求又は測定報告を受信するように配置される通信ユニット３０３をさらに含んでもよい。
【００５０】
一つの例において、指示生成ユニット３０１は、セル専用のダイナミックオフセットをシステム情報に含み、通信ユニット３０３は、ブロードキャストチャネルによりセル専用のダイナミックオフセットを含むシステム情報を送信する。例えば、システム情報はSIBであり、SystemInformationBlockType３におけるcellReselectionInfoCommon内に本セルのダイナミックオフセット項目(q-OffsetDyn)を増加させ、SystemInformationBlockType４におけるIntraFreqNeighCellInfoに同一周波数の隣接セルのダイナミックオフセット項目(q-OffsetDyn)を増加させ、SystemInformationBlockType５におけるInterFreqNeighCellInfoに異なる周波数の隣接セルのダイナミックオフセット項目(q-OffsetDyn)を増加させる。例えば、ユーザー機器がRRC idleにある場合に、当該システム情報を受信することで、セル再選択等の操作を行ってもよい。
【００５１】
他の一つの例において、例えば、ユーザー機器がRRC接続済みの状態にある際に、指示生成ユニット３０１は、セル専用のダイナミックオフセットをRRCシグナリングに含み、通信ユニット３０３は、データチャネルによりセル専用のダイナミックオフセットを含むRRCシグナリングを送信する。前記のように、ダイナミックオフセット情報は、例えば、RRCシグナリングのMeasObjectEUTRA(例えばCellsToAddMod)に含まれてもよく、また、RRCのシステム情報ブロックに含まれてもよく、具体的に、例えば上記のSystemInformationBlockType３、SystemInformationBlockType４、SystemInformationBlockType５に含まれる。
【００５２】
また、指示生成ユニット３０１は、さらに、セル専用のダイナミックオフセットと、セル専用のダイナミックオフセットを加味した報告トリガーイベントに関する測定報告配置とをRRCシグナリングの測定配置情報に含み、ユーザー機器の測定報告のために用いられる。即ち、送信されるRRCシグナリングには、ユーザー機器用の測定報告配置がさらに含まれる。前記のように、測定報告配置の情報は、例えば、measconfig IEに含まれても良い。また、measconfigには、基地局がユーザー機器による測定を所望するセルのリスト、それぞれの測定報告イベントのパラメータなどを含んでもよい。ユーザー機器は測定配置の要求に従って各セルに対して測定を完了させ、イベントパラメータに基づいて測定結果が相応する報告トリガーイベントを満たすか否かを特定し、満たす場合、セルID、満たした報告トリガーイベントID及び/又は具体的な測定結果などの内容を報告する。
【００５３】
例として、無線リソース管理ユニット３０２は、ユーザー機器からの測定報告に含まれる隣接セルの測定結果を特定し、隣接セルの測定結果と、相応するセル専用のダイナミックオフセットとに基づいて、ユーザー機器用の対象アクセスセルを特定する。当該例において、基地局側は対象アクセスセルの特定を行う。また、無線リソース管理ユニット３０２は、当該測定結果に対応する報告トリガーイベントに基づいて、対象アクセスセルがユーザー機器の切替対象セル、デュアルコネクティビティ対象セル又はキャリアアグリゲーション対象セルの少なくとも一つであることを特定することができる。例えば、セル専用のダイナミックオフセットを加味した、切替、デュアルコネクティビティ、キャリアアグリゲーションに対する新しい報告トリガーイベントを設置し、それに一意なIDを割り当てても良い。
【００５４】
注意されたいことは、ここに記載の報告トリガーイベントは、本願に新たに定義されたセル専用のダイナミックオフセットを加味したイベントである。例えば、新しいイベントA７、A８を定義してもよく、A７は、二つの進入条件を含む：
【００５５】
【数３】
2018510527.tif 000005
【００５６】
ただし、Mnは、オフセットを加味しない隣接セルの測定結果であり、Ofnは隣接セル周波数の周波数専用のオフセットであり、OcnはOAMにより値を与られるスタティック隣接セル専用のオフセットであり、Odnは本発明において導入される隣接セルのセル専用のダイナミックオフセットであり、Hysは当該イベントのヒステリシスパラメータであり、Mpはオフセットを加味しないマスターセルの測定結果であり、Ofpはマスター周波数の周波数専用のオフセットであり、OcpはOAMにより値を与えられるスタティックマスターセル専用のオフセットであり、Odsは本発明に導入されるサービングセルのセル専用のダイナミックオフセットであり、Offは、当該イベントに対するオフセットパラメータであり、第１の閾値は例えばmeasconfigにおいて設置されることができる。言い換えれば、セルがイベントA７の二つの条件を満たす場合に、当該セルのID、A７のイベントID及び/又は測定結果を報告することができる。なお、条件(６)は、隣接セルの例えばマルチアンテナ処理を経たないとマルチアンテナ伝送機能ゲインを享受しない伝送の信号品質を確保する。
【００５７】
また、好適な例において、さらに、本発明の思想に基づいてA７イベントの離脱条件を設置する：
【００５８】
【数４】
2018510527.tif 000006
【００５９】
これにより、ユーザー機器は上記測定報告に応じてイベントA７配置をトリガーして相応する測定結果報告を行い、基地局は、当該イベントでの測定報告に応じてマスターセルPcell/PScellの切替及び対象セルの選択の切替を行うか否かを特定する。
【００６０】
イベントA８は以下の二つの進入条件を含む：
【００６１】
【数５】
2018510527.tif 000007
【００６２】
また、好適な例において、さらに、本発明の思想に基づいてA８イベントの離れ条件を設置する：
【００６３】
【数６】
2018510527.tif 000008
【００６４】
ただし、同一の符号は、式(５)、(６)と同じ意味を有し、第２の閾値は、例えばmeasconfigに設置されてもよい。類似的に、ユーザー機器は、上記測定報告に応じてイベントA８配置をトリガーして相応する測定結果報告を行い、例えば、当該セルのID、A８のイベントID及び/又は測定結果を報告してもよく、基地局は、当該イベントでの測定報告に応じて、スレーブセルScellの添加、削除又は置換を行うか否かを特定する。
【００６５】
当業者は従来技術と上記例に応じて他の組合せ又は変形態様を設計することができ、例えばユーザー機器は基地局のみからQdnとOdSとの差分を、相応する隣接セルのセル専用のダイナミックオフセットとして受信し、本発明は、ここで一つ一つ挙げないことにする。
【００６６】
装置３００がユーザー機器の対象アクセス基地局として動作する場合に、通信ユニット３０３は、さらに、ユーザー機器から当該ユーザー機器がセル専用のダイナミックオフセットを加味したことを示す機器能力マークを受信するように配置されてもよく、機器能力マークはアクセス要求がセル専用のダイナミックオフセットを加味したことを示す場合に、無線リソース管理ユニット３０２は、当該ユーザー機器にマルチ伝送方案を優先的に特定するように配置される。
【００６７】
例えば、ユーザー機器がセル再選択を完了した後、選択されたセルの通信ユニット３０３へ上記機器能力マークを送信し、次の伝送において、無線リソース管理ユニット３０２は、当該ユーザー機器にマルチ伝送方案を優先的に特定し、これは、当該機器能力マークが当該セルを選択する際にそのマルチアンテナ伝送機能ゲインを加味したことを示すからである。
【００６８】
当該実施例による装置３００は、セル専用のダイナミックオフセットに基づく無線リソース管理を実現し、リソース利用効率を向上させる。
【００６９】
<第５実施例>
図４には、本願の一実施例による無線通信の基地局側用の装置４００の構造ブロック図を示しており、装置４００は、隣接基地局と、各々のサービングセルの無線リソース管理用のセル専用のダイナミックオフセット情報を交換するように配置され、セル専用のダイナミックオフセットが相応するセルの伝送容量に関係し、伝送容量がセルマルチアンテナゲインと、負荷状況との少なくとも一つを含む通信ユニット４０１と、基地局及び隣接基地局とのサービングセルのセル専用のダイナミックオフセット情報に基づいて、基地局のユーザー機器に対して無線リソース管理を行うように配置される無線リソース管理ユニット４０２とを含む。
【００７０】
当該装置４００において、通信ユニット４０１は隣接基地局の間で各々のサービングセルのダイナミックオフセット情報を交換させることにより、基地局は自身及び隣接基地局のセルのダイナミックオフセット情報をそのサービングセルのユーザー機器に提供し、又は基地局自身が当該ダイナミックオフセット情報を使用して無線リソース管理を行わせることができる。例えば、本発明における各セルのセル専用のダイナミックオフセットは、当該セルの動作状況に応じて動的変更し、例えばマルチアンテナ伝送機能ゲインはサービングするユーザーの数によって変化し、ユーザーの数が小さい際に、ビームフォーミングを用いて伝送品質を向上させ、ユーザーの数が多い場合に、ビームフォーミングの伝送サービスを提供することができなくなり、セル負荷も具体的なセル伝送サービス状態に応じて変化するので、本発明では隣接基地局の間に直接にセル専用のダイナミックオフセット情報を交換することを設計することで、当該情報のリアルタイム性を確保することができ、これは現在OAM配置により隣接セルスタティック特性を取得する方式と比べると、無線リソース管理の正確性を高めることができる。
【００７１】
本発明の一つの例において、基地局は、ユーザー機器へセル専用のダイナミックオフセット情報を通知せず、ユーザー機器から測定結果を受信した後に、基地局の内部にダイナミックオフセットを重畳して例えばセル切替などの無線リソース管理操作を実行する。
【００７２】
一つの例において、通信ユニット４０１はX２通信インタフェースに対応し、通信ユニット４０１はX２メッセージのCell Information Itemにおける情報ビットによりセル専用のダイナミックオフセット情報を交換する。
【００７３】
当該実施例による装置４００は、セル専用のダイナミックオフセットに基づく無線リソース管理を実現し、リソース利用効率を向上させることができる。
【００７４】
<第６の実施例>
以上の実施形態において無線通信のユーザー機器側用と基地局側用の装置を記述する過程では、明らかに、さらに幾つかの処理又は方法が開示されている。以下、以上で既に検討された細部を重複しない場合、これらの方法の概要を提供する。ただし、これらの方法は、無線通信のユーザー機器側用と基地局側用の装置を記述する過程で開示されたが、これらの方法は、必ずしも記述されたそれらの部品を用いて実行したり、それらの部品により実行されるのではない。例えば、無線通信のユーザー機器側用と基地局側用の装置の実施形態は、一部又は全部でハードウェア及び/又はファームウエアにより実現され、そして、以下で検討する無線通信のユーザー機器側用と基地局側用の方法は、無線通信のユーザー機器側用と基地局側用の装置のハードウェア及び/又はファームウエアにより実現されることができるが、これらの方法は、全てコンピュータが実行可能なプログラムにより実現されることもできる。
【００７５】
図５には、本願の一実施例による無線通信のユーザー機器側用の方法フローチャートを示しており、当該方法は以下のステップを含み、即ち、ユーザー機器のサービングセル及び/又は隣接セルの無線リソース管理用のセル専用のダイナミックオフセット情報を取得し(Ｓ１１)、セル専用のダイナミックオフセットが相応するセルの伝送容量に関係し、伝送容量がセルマルチアンテナゲインと、負荷状況との少なくとも一つを含み、サービングセルと隣接セルの参照信号を測定し(Ｓ１２)、ユーザー機器の接続状態に応じて、セル専用のダイナミックオフセット、及びサービングセルと隣接セルとの測定結果に基づいて、セル再選択又は測定報告を行う(Ｓ１３)。
【００７６】
なお、マルチアンテナ伝送機能ゲインは、セルプリコーディングゲイン及び/又はビームフォーミングゲインを含む。セル専用のダイナミックオフセットは、さらに、セル負荷に関係してもよく、負荷が大きいほど、オフセット値が小さくなる。
【００７７】
ステップＳ１１において、システム情報又はユーザー機器に記録されている履歴情報によりセル専用のダイナミックオフセット情報を取得することができる。また、サービングセルの基地局からRRCシグナリングを受信することにより、サービングセルと隣接セルとのセル専用のダイナミックオフセット情報を取得することができる。
【００７８】
ステップＳ１２で取得した測定結果は、参照信号受信電力と参照信号受信品質との少なくとも一つに関する測定値を含むことができる。
【００７９】
ステップＳ１３において、セル専用のダイナミックオフセット情報と、測定結果とに基づいて測定したセルに対してソートを行い、ソート結果に基づいてアクセスするセルを特定することができる。
【００８０】
ユーザー機器の無線リソース制御接続状態が接続済みである場合に、ステップＳ１１においてユーザー機器のサービングセルからの測定配置情報を取得し、測定配置情報は、ダイナミックオフセットと、ダイナミックオフセットを加味した報告トリガーイベントに関する測定報告配置とを含む。前記のように、ダイナミックオフセットを加味した複数の新しい報告トリガーイベントを定義することができる。
【００８１】
一つの例として、セル専用のダイナミックオフセット情報が含まれた測定配置情報は、RRC指令に含まれる。
【００８２】
ステップＳ１３において、少なくとも、セル専用のダイナミックオフセットと、測定結果と、測定報告配置とに基づいて測定報告をトリガーすることができる。セル専用のダイナミックオフセットを加味した報告トリガーイベントを満たす隣接セルの測定結果を測定報告に含んでもよい。
【００８３】
ステップＳ１３において行われるのがセル再選択であると、図５における破線枠に示すように、上記方法は、セル再選択の完了後、セル再選択の対象セルへ、特定された時セルダイナミックオフセットを加味したことを示す機器能力マークを送信するステップＳ１４をさらに含む。例えば、RRCシグナリングで当該機器能力マークを送信してもよい。
【００８４】
図６には、本願の一実施例による無線通信の基地局側用の方法のフローチャートを示しており、当該方法は以下のステップを含み、即ち、基地局のサービングセル及び/又は隣接セルの無線リソース管理用のセル専用のダイナミックオフセットを含む指示情報を生成し(Ｓ２１)、基地局のサービングするユーザー機器を指示するために用いられ、セル専用のダイナミックオフセットが相応するセルの伝送容量に関係し、伝送容量がセルマルチアンテナゲインと、負荷状況との少なくとも一つを含み、セル専用のダイナミックオフセットに基づいてユーザー機器に対する無線リソース管理を行う(Ｓ２５)。
【００８５】
なお、マルチアンテナ伝送機能ゲインは、セルプリコーディングゲイン及び/又はビームフォーミングゲインを含む。セル専用のダイナミックオフセットは、さらに、セル負荷に関係してもよく、負荷が大きいほど、オフセット値が小さくなる。
【００８６】
一つの例において、図６における破線枠に示すように、上記方法は、以下のステップを含み、即ち、基地局がサービングするユーザー機器へ指示情報を送信し(Ｓ２２)、ユーザー機器からのアクセス要求又は測定報告を受信する(Ｓ２３)。
【００８７】
例えば、ステップＳ２１において、セル専用のダイナミックオフセットをシステム情報に含み、そして、ステップＳ２２において、ブロードキャストチャネルによりセル専用のダイナミックオフセットのシステム情報を送信してもよい。
【００８８】
また、ステップＳ２１において、セル専用のダイナミックオフセットをRRCシグナリングに含み、そして、ステップＳ２２において、データチャネルによりセル専用のダイナミックオフセットを含むRRCシグナリングを送信してもよい。例えば、セル専用のダイナミックオフセットと、セル専用のダイナミックオフセットを加味した報告トリガーイベントに関する測定報告配置を、RRCシグナリングの測定配置情報に含んで、ユーザー機器の測定報告のために用いられてもよい。
【００８９】
例えば、セル再選択を行う際に、ステップＳ２３でユーザー機器からのアクセス要求を受信する。この際に。図６における他の一つの破線枠に示すように、上記方法は、ユーザー機器から、当該ユーザー機器がセル専用のダイナミックオフセットを加味したことを示す機器能力マークを受信するステップＳ２４をさらに含んでもよい。機器能力マークはアクセス要求がセル専用のダイナミックオフセットを加味したことを示す場合に、ユーザー機器にマルチ伝送方案を優先的に特定する。
【００９０】
また、例えば、セル再選択などの場面である場合に、ステップＳ２３においてユーザー機器からの測定報告を受信し、当該測定報告はユーザー機器により上記測定配置情報に応じて報告されるものである。一つの例において、ステップＳ２５において、ユーザー機器からの測定報告に含まれる隣接セルの測定結果を特定し、隣接セルの測定結果と、相応するセル専用のダイナミックオフセットとに基づいて、ユーザー機器の対象アクセスセルを特定する。
【００９１】
また、さらに、当該測定結果に対応する報告トリガーイベントに基づいて、対象アクセスセルがユーザー機器の切替対象セル、デュアルコネクティビティ対象セル又はキャリアアグリゲーション対象セルの少なくとも一つであることを特定する。
【００９２】
図７には、本願の他の一実施例による無線通信の基地局側用の方法のフローチャートを示しており、当該方法は、以下のステップを含み、即ち、隣接基地局と、各々のサービングセルの無線リソース管理用のセル専用のダイナミックオフセット情報を交換し(Ｓ３１)、セル専用のダイナミックオフセットが相応するセルの伝送容量に関係し、伝送容量がセルマルチアンテナゲインと、負荷状況との少なくとも一つを含み、基地局、及び隣接基地局のサービングセルのセル専用のダイナミックオフセット情報に基づいて基地局のユーザー機器に対して無線リソース管理を行う(Ｓ３２)。
【００９３】
例えば、ステップＳ３１において、X２通信インタフェースにより交換してもよく、具体的に、例えばX２メッセージのCell Information Itemにおける情報ビットにより、セル専用のダイナミックオフセット情報を交換してもよい。
【００９４】
注意されたいことは、上記それぞれの方法は組合せる又は独立して使用することができ、その細部について、第１〜第５の実施例に既に詳細に記述されたので、ここで重複しない。
【００９５】
以上で具体的な実施例に基づいて本発明の基本的原理を記述したが、説明したいのは、当業者であれば、本発明の方法と装置の全部又はいずれかのステップ又は部品は、任意のコンピューター装置(プロセッサ、記憶媒体などを含む)又は算出装置のネットワークにおいて、ハードウェア、ファームウエア、ソフトウェア又はその組合せの形で実現されてもよく、これは、当業者が本発明の記述を読んだ上で、その基本的回路設計知識又は基本的プログラミングのスキルにより実現できるものである。
【００９６】
当業者は、以上で記載された装置のうち例えば情報取得ユニット、測定ユニット、セル再選択/測定報告ユニット、指示生成ユニット、無線リソース管理ユニットなどは、一つ又は複数のプロセッサにより実現されることができ、例えば能力マーク送信ユニット、通信ユニットなどは、アンテナ、フィルタ、モデム及びコーデックなどの回路素子により実現されることができる。
【００９７】
そこで、本発明は、さらに、無線通信のユーザー機器側用の装置(１)を提出し、ユーザー機器のサービングセル及び/又は隣接セルの無線リソース管理用のセル専用のダイナミックオフセット情報を取得し、セル専用のダイナミックオフセットが相応するセルの伝送容量に関係し、伝送容量がセルマルチアンテナ伝送機能ゲインと、負荷状況との少なくとも一つを含み、サービングセルと隣接セルとの参照信号を測定し、ユーザー機器の接続状態に応じて、セル専用のダイナミックオフセット、及びサービングセルと隣接セルとの測定結果に基づいてセル再選択又は測定報告を行うように配置される一つ又は複数のプロセッサを含む。
【００９８】
幾つかの例において、当該装置(１)はユーザー機器であり、セル専用のダイナミックオフセット情報を受信し、且つ隣接セルへランダムアクセス要求を、又はサービングセルへ測定報告を送信するように配置されるトランシーバをさらに含んでもよい。
【００９９】
本発明は、さらに無線通信の基地局側用の装置(２)をさらに提出し、基地局のサービングセル及び/又は隣接セルの無線リソース管理用のセル専用のダイナミックオフセットを含む指示情報を生成し、基地局がサービングするユーザー機器を指示するために用いられ、セル専用のダイナミックオフセットが相応するセルの伝送容量に関係し、伝送容量がセルマルチアンテナ伝送機能ゲインと、負荷状況との少なくとも一つを含み、セル専用のダイナミックオフセットに基づいてユーザー機器に対する無線リソース管理を行うように配置される一つ又は複数のプロセッサを含む。
【０１００】
本発明は、さらに、無線通信の基地局側用の装置(３)を提出し、隣接基地局と、各々のサービングセルの無線リソース管理用のセル専用のダイナミックオフセット情報を交換し、セル専用のダイナミックオフセットが相応するセルの伝送容量に関係し、伝送容量がセルマルチアンテナ伝送機能ゲインと、負荷状況との少なくとも一つを含み、基地局、及び隣接基地局のサービングセルのセル専用のダイナミックオフセット情報に基づいて、基地局のユーザー機器に対して無線リソース管理を行うように配置される一つ又は複数のプロセッサを含む。
【０１０１】
幾つかの例において、当該装置(２)又は(３)は基地局であり、ユーザー機器へセル専用のダイナミックオフセット情報を送信するように配置されるトランシーバをさらに含むことができる。装置(１)〜(３)の具体的な細部の記述について、前記実施例において提供されているため、ここで重複しない。
【０１０２】
また、本発明は、さらに電子機器(１)を提出し、ユーザー機器のサービングセル及び/又は隣接セルの無線リソース管理用のセル専用のダイナミックオフセット情報を取得し、セル専用のダイナミックオフセットが相応するセルの伝送容量に関係し、伝送容量がセルマルチアンテナ伝送機能ゲインと、負荷状況との少なくとも一つを含み、サービングセルと隣接セルと参照信号を測定し、ユーザー機器の接続状態に応じて、セル専用のダイナミックオフセット、及びサービングセルと隣接セルとの測定結果に基づいて、セル再選択又は測定報告を行うように配置される回路を含む。
【０１０３】
本発明は、さらに、電子機器(２)を提出し、基地局のサービングセル及び/又は隣接セルの無線リソース管理用のセル専用のダイナミックオフセットを含む指示情報を生成し、基地局のサービングするユーザー機器を指示するために用いられ、セル専用のダイナミックオフセットが相応するセルの伝送容量に関係し、伝送容量がセルマルチアンテナ伝送機能ゲインと、負荷状況との少なくとも一つを含み、セル専用のダイナミックオフセットに基づいてユーザー機器に対する無線リソース管理を行うように配置される回路を含む。
【０１０４】
本発明は、さらに、電子機器(３)を提供し、隣接基地局と、各々のサービングセルの無線リソース管理用のセル専用のダイナミックオフセット情報を交換し、セル専用のダイナミックオフセットが相応するセルの伝送容量に関係し、伝送容量がセルマルチアンテナ伝送機能ゲインと、負荷状況との少なくとも一つを含み、基地局と隣接基地局とのサービングセルのセル専用のダイナミックオフセット情報に基づいて、基地局のユーザー機器に対して無線リソース管理を行うように配置される回路を含む。
【０１０５】
本発明の実施例は、さらに、機器が読み取り可能なプログラム指令コードが記憶されているプログラム製品に関する。前記指令コードは機器に読み取られて実行される場合に、上記本発明の実施例による方法を実行できる。
【０１０６】
それに応じて、上記した機器が読み取り可能な指令コードが記憶されているプログラム製品を搭載するための記憶媒体も本発明の開示に含まれる。上記記憶媒体はフロッピーディスク、光ディスク、光磁気ディスク、メモリカード、メモリースティック等が含まれるが、これらに限られない。
【０１０７】
ソフトウェア又はファームウエアにより本発明を実現する場合に、記憶媒体或いはネットワークから専用ハードウェア構造を有するコンピューター（例えば図８に示す汎用パーソナルコンピューター１８００）にソフトウェアを構成するプログラムをインストールし、コンピューターは、各種のプログラムがインストールされている場合、各種の機能等を実行できる。
【０１０８】
図８において、中央処理ユニット（即ち、ＣＰＵ）１８０１は、読取専用メモリ（ＲＯＭ）１８０２に記憶されているプログラム或いは記憶部１８０８からランダムアクセスメモリ（ＲＡＭ）１８０３にロードしたプログラムに基づいて各種の処理を実行する。ＲＡＭ１８０３にも、必要に応じてＣＰＵ１８０１が各種の処理等を実行する際に必要なデータが記憶される。ＣＰＵ１８０１、ＲＯＭ１８０２、ＲＡＭ１８０３はバス１８０４を介して互いに接続されている。入力/出力インターフェース１８０５もバス１８０４に接続されている。
【０１０９】
入力/出力インターフェース１８０５には、入力部１８０６（キーボード、マウス等を含む）、出力部１８０７（ディスプレイ、例えば陰極線管（ＣＲＴ）、液晶ディスプレイ（ＬＣＤ）等、スピーカ等を含む）、記憶部１８０８（ハードディスク等を含む）、通信部１８０９（ネットワークインターフェースカード例えばＬＡＮカード、モデム等を含む）が接続されている。通信部１８０９は、ネットワーク、例えばインターネットを介して通信処理を実行する。必要に応じて、ドライバー１８１０も入力/出力インターフェース１８０５に接続されることができる。リムーバブルメディア１８１１、例えば磁気ディスク、光ディスク、光磁気ディスク、半導体メモリ等は、必要に応じてドライバー１８１０に装着され、その中から読み出されたコンピュータプログラムが必要に応じて記憶部１８０８にインストールされるようにする。
【０１１０】
ソフトウェアにより上記の一連の処理を実現する場合に、ネットワーク、例えばインターネット或いは記憶媒体、例えばリムーバブルメディア１８１１からソフトウェアを構成するプログラムをインストールする。
【０１１１】
当業者であれば、このような記憶媒体は、図８に示す、プログラムが記憶され装置と独立して配分することでユーザにプログラムを提供するリムーバブルメディア１８１１に限定されないことが理解される。リムーバブルメディア１８１１の例としては、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１８０２、記憶部１８０８に含まれるハードディスク等であってもよく、それにはプログラムが記憶されており、且つこれらを含む装置とともにユーザに配分される。
【０１１２】
<応用例>
本開示の内容の技術は、各種の製品に応用できる。
例えば、基地局側装置３００と４００は、任意のタイプの進化型ノードB（ｅＮＢ）、例えばマクロｅＮＢとスモールｅＮＢとして実現してもよい。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、基地局側装置３００と４００は、任意の他のタイプの基地局、例えばNodeBとベーストランシーバ基地局（BTS）として実現されてもよい。基地局側装置３００と４００は、無線通信を制御するように配置される本体（基地局装置とも称する）と、本体と異なる箇所に設置される一つ又は複数のリモート無線ヘッド（RRH）とを含むことができる。また、以下で記述する各種のタイプの端末は、基地局機能を一時又は半恒久的に実行することにより基地局側装置３００と４００として作動する。
【０１１３】
例えば、ユーザー機器側装置１００と２００は、例えば、移動端末（例えばスマートフォン、タブレットパソコンコンピュータ（PC）、ノートPC、携帯型ゲーム端末、携帯型/ウオッチドッグ型移動ルータとデジタル撮像装置）又は車載端末（例えばカーナビゲーション装置）として実現されてもよい。端末装置３００は、マシンツウマシン(M２M)通信を実行する端末(マシン種類通信(MTC)端末とも称する)として実現されてもよい。また、ユーザー機器側装置１００と２００は、上記端末における端末ごとに取り付けられる無線通信モジュール（例えば単一又は複数のチップを含む集成回路モジュール）にしてもよい。
【０１１４】
[Ｉ.基地局の応用例について]
図９は本開示の内容の技術を応用できるｅＮＢの模式的配置の第１の例を示すブロック図である。ｅＮＢ８００は、一つ又は複数のアンテナ８１０及び基地局装置８２０を含む。基地局装置８２０と各アンテナ８１０は、ＲＦケーブルを介して互いに接続可能である。
【０１１５】
アンテナ８１０の各々は、単一の又は複数のアンテナ素子（例えば、多入力多出力（ＭＩＭＯ）アンテナに含まれる複数のアンテナ素子）を含み、基地局装置８２０による無線信号の送受信のために用いられる。ｅＮＢ８００は、図９に示すように複数のアンテナ８１０を含む。たとえば、複数のアンテナ８１０は、例えばｅＮＢ８００が使用する複数の周波数帯域に共用してもよい。なお、図９にはｅＮＢ８００が複数のアンテナ８１０を含む例を示したが、ｅＮＢ８００は単一のアンテナ８１０を含んでもよい。
【０１１６】
基地局装置８２０は、コントローラ８２１、メモリ８２２、ネットワークインタフェース８２３、及び無線通信インタフェース８２５を含む。
【０１１７】
コントローラ８２１は、例えばＣＰＵ又はＤＳＰであってよく、基地局装置８２０の上位層の様々な機能を操作する。例えば、コントローラ８２１は、無線通信インタフェース８２５により処理された信号におけるデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム及び様々な制御データ（例えば、端末リスト、伝送電力データ及びスケジューリングデータなど）を記憶する。
【０１１８】
ネットワークインタフェース８２３は基地局装置８２０をコアネットワーク８２４に接続するための通信インタフェースである。コントローラ８２１はネットワークインタフェース８２３を介してコアネットワークノード又は他のｅＮＢと通信することができる。この場合、ｅＮＢ８００とコアネットワークノード又は他のｅＮＢとはロジックインタフェース(例えばS１インタフェースとX２インタフェース)により互いに接続される。ネットワークインタフェース８２３は有線通信インタフェース、又は無線バックホールに用いられる無線通信インタフェースであってもよい。ネットワークインタフェース８２３が無線通信インタフェースである場合、ネットワークインタフェース８２３は、無線通信インタフェース８２５が使用される周波数帯域に比べて高い周波数帯域が無線通信に使用されてもよい。
【０１１９】
無線通信インタフェース８２５は、任意のセルラー通信方式（例えば、ＬＴＥ（Long  Term  Evolution）、ＬＴＥ−Ａｄｖａｎｃｅｄ）をサポートし、アンテナ８１０を介して、ｅＮＢ８００のセル内に位置する端末への無線接続を提供する。無線通信インタフェース８２５は、一般に、ベースバンド（ＢＢ）プロセッサ８２６及びＲＦ回路８２７を含むことができる。ＢＢプロセッサ８２６は、例えば、符号化/復号化、変調/復調及び多重化/逆多重化を実行し、レイヤ(例えばL１、媒体アクセス制御(MAC)、無線リンク制御(RLC)、パケットデータ収束プロトコル(PDCP))のさまざまな信号処理を実行することができる。コントローラ８２１の代わりに、BBプロセッサ８２６は、上記ロジック機能の一部又は全部を有してもよい。BBプロセッサ８２６は通信制御プログラムを記憶するメモリであってもよく、又はプログラムを実行するように配置されるプロセッサ及び関連する回路を含むモジュールであってもよい。プログラムの更新は、BBプロセッサ８２６の機能を変更させることができる。当該モジュールは基地局装置８２０の溝に挿入されるカードまたはブレードであってもよい。代わりに、当該モジュールはカードまたはブレードに搭載されるチップであってもよい。一方、RF回路８２７は、例えばミキサ、フィルタ及びアンプを含み、アンテナ８１０を介して無線信号を送受信することができる。
【０１２０】
図９に示すように、無線通信インタフェース８２５は複数のBBプロセッサ８２６を含んでもよい。例えば、複数のBBプロセッサ８２６はｅＮＢ８００が使用する複数の周波数帯域に共用されてもよい。図９に示すように、無線通信インタフェース８２５は複数のRF回路８２７を含んでもよい。例えば、複数のRF回路８２７は複数のアンテナ素子に共用されてもよい。図９は無線通信インタフェース８２５が複数のBBプロセッサ８２６と複数のRF回路８２７とを含む例を示したが、無線通信インタフェース８２５は単一のBBプロセッサ８２６又は単一のRF回路８２７を含んでもよい。
【０１２１】
図９に示すｅＮＢ８００において、図３と図４に記述の通信ユニットを使用することにより、無線通信インタフェース８２５と無線通信インタフェース８５５及び/又は無線通信インタフェース８６３により実現されてもよい。機能の少なくとも一部はコントローラ８２１により実現されてもよい。例えば、コントローラ８２１は、指示生成ユニットの機能を実行することにより、セル専用のダイナミックオフセットを含む指示情報を生成する操作を実行してもよく、コントローラ８２１は、無線リソース管理ユニットの機能を実行することにより、セル専用のダイナミックオフセットに基づいて無線リソース管理を行う操作を実行してもよい。
【０１２２】
[II.端末装置の応用例について]
図１０は本開示の内容の技術を応用できるスマートフォン９００の模式的構成を示すブロック図である。スマートフォン９００は、プロセッサ９０１、メモリ９０２、記憶装置９０３、外部接続インタフェース９０４、撮像装置９０６、センサ９０７、マイクロフォン９０８、入力装置９０９、表示装置９１０、スピーカ９１１、無線通信インタフェース９１２、一つ又は複数のアンテナスイッチ９１５、一つ又は複数のアンテナ９１６、バス９１７、バッテリ９１８及び補助コントローラ９１９を含む。
【０１２３】
プロセッサ９０１は例えばCPU又はSoC（System-on-a-chip）であってもよく、スマートフォン ９００のアプリケーション層とその他の層の機能を制御する。メモリ９０２はRAMとROMを含み、データと、プロセッサ９０１により実行されるプログラムを記憶する。記憶装置９０３は記憶媒体、例えば半導体メモリとハードディスクを含むことができる。外部接続インタフェース９０４は、外部装置（メモリカードとユニバーサル・シリアル・バス（USB））をスマートフォン９００に接続するためのインタフェースである。
【０１２４】
撮像装置９０６が画像センサ(例えばＣＣＤ（Charge  Coupled  Device）、ＣＭＯＳ（Complementary  Metal  Oxide  Semiconductor）)を含み、キャプチャ画像を生成する。センサ９０７は例えば、測定センサ、ジャイロセンサ、地磁気センサ及び加速度センサなどのセンサ群を含んでもよい。マイクロフォン９０８はスマートフォン９００に入力される音声を音声信号に変換する。入力装置９０９は例えば表示装置９１０のスクリーン上のタッチを検出するように配置されるタッチセンサ、キーパッド、キーボード、ボタン又はスイッチを含み、ユーザーから入力される操作又は情報を受信する。表示装置９１０は、スクリーン(例えば液晶ディスプレイ(LCD)、有機発光ダイオード(OLED)ディスプレイ)を含み、スマートフォン９００の出力画像を表示する。スピーカ９１１は、スマートフォン９００から出力される音声信号を音声に変換する。
【０１２５】
無線通信インタフェース９１２は任意のセルラー通信方式(例えばＬＴＥ、ＬＴＥ−Ａｄｖａｎｃｅｄ)をサポートし、無線通信を実行する。無線通信インタフェース９１２は、一般に、例えばBBプロセッサ９１３とRF回路９１４とを含むことができる。BBプロセッサ９１３は例えば符号化/復号化、変調/復調及び多重化/逆多重化を実行し、無線通信に用いられる様々な信号処理を実行する。一方、RF回路９１４は例えばミキサ、フィルタ及びアンプを含み、アンテナ９１６を介して無線信号を送受信することができる。無線通信インタフェース９１２は、BBプロセッサ９１３とRF回路９１４を上に集積した一つのチップモジュールであってもよい。図１０に示すように、無線通信インタフェース９１２は複数のBBプロセッサ９１３と複数のRF回路９１４を含んでもよい。図１０は無線通信インタフェース９１２が複数のBBプロセッサ９１３と複数のRF回路９１４を含む例を示したが、無線通信インタフェース９１２は単一のBBプロセッサ９１３又は単一のRF回路９１４を含んでもよい。
【０１２６】
また、セルラー通信方式以外にも、無線通信インタフェース９１２は他の種類の無線通信方式、例えば近距離無線通信方式、近接無線通信方式又は無線ＬＡＮ（Local  Area  Network）方式をサポートしてもよい。この場合、無線通信インタフェース９１２は無線通信方式ごとのBBプロセッサ９１３とRF回路９１４を含んでもよい。
【０１２７】
アンテナスイッチ９１５の各々は、無線通信インタフェース９１２に含まれる複数の回路（例えば、異なる無線通信方式に用いられる回路）の間でアンテナ９１６の接続先を切り替える。
【０１２８】
アンテナ９１６の各々は、いずれも、単一の又は複数のアンテナ素子（例えば、ＭＩＭＯアンテナに含まれる複数のアンテナ素子）を含み、無線通信インタフェース９１２による無線信号の送受信に用いられる。図１０に示すように、スマートフォン９００は複数のアンテナ９１６を含んでもよい。図１０はスマートフォン９００が複数のアンテナ９１６を含む例を示したが、スマートフォン９００は単一のアンテナ９１６を含んでもよい。
【０１２９】
また、スマートフォン９００は無線通信方式ごとのアンテナ９１６を含んでもよい。この場合、アンテナスイッチ９１５はスマートフォン９００の構成から省略されてもよい。
【０１３０】
バス９１７は、プロセッサ９０１、メモリ９０２、記憶装置９０３、外部接続インタフェース９０４、撮像装置９０６、センサ９０７、マイクロフォン９０８、入力装置９０９、表示装置９１０、スピーカ９１１、無線通信インタフェース９１２及び補助コントローラ９１９を互いに接続する。バッテリ９１８は図面の中に破線で部分的に示されたフィードバックラインを介して図１０に示すスマートフォン９００の各ブロックに電力を供給する。補助コントローラ９１９は例えば、スリープモードにおいて、スマートフォン９００の必要最低限の機能を動作させる。
【０１３１】
図１０に示すスマートフォン９００において、図１と図２に記述の情報取得ユニットと能力マーク送信ユニットを使用することにより、無線通信インタフェース９１２により実現されてもよい。機能の少なくとも一部はプロセッサ９０１又は補助コントローラ９１９により実現されてもよい。例えば、プロセッサ９０１又は補助コントローラ９１９は測定ユニットの機能を実行することにより、参照信号を測定する操作を実行してもよく、プロセッサ９０１又は補助コントローラ９１９はセル再選択/測定報告ユニットの機能を実行することにより、セル専用のダイナミックオフセットと測定結果とに基づいてセル再選択又は測定報告を行う操作を実行する。
【０１３２】
なお、本発明の装置、方法とシステムにおいて、各部品又は各ステップは分割及び/又は再組合せすることができる。これらの分割及び/又は再組合せは、本発明の等価方案と見なすべきである。また、上記の一連の処理を実行するステップは、自然に説明の順で時間順に従って実行されてもよいが、必ずしも時間順に従う必要はない。幾つかのステップは、並行又は互いに独立に実行されてもよい。
【０１３３】
なお、最後に説明したいのは、用語の「含む」、「含まれる」又はその任意の変化は、非排他的包含を含むことを意味することにより、一連の要素を含むプロセス、方法、物品又はデバイスはその要素を含むだけでなく、明確に挙げられていない他の要素を含むか、又はこのようなプロセス、方法、物品又はデバイスが固有する要素をさらに含む。また。より多く制限されない場合に、語句「一つの…を含む」により限定する要素は、上記要素を含むプロセス、方法、物品又はデバイスにおいて他の同一の要素を含むことを排除しない。
【０１３４】
以上、図面に基づいて本発明の実施例を詳細に記述したが、以上で記述された実施形態は、本発明を説明するために用いられるものであり、本発明を限定しない。当業者にとって、上記実施形態について、本発明の本質と範囲から逸脱せず、各種の修正、変更を行うことができる。従って、本発明の範囲は、特許請求の範囲及び均等な意味のみに限定される。
【図１】
2018510527.tif 000009
【図２】
2018510527.tif 000010
【図３】
2018510527.tif 000011
【図４】
2018510527.tif 000012
【図５】
2018510527.tif 000013
【図６】
2018510527.tif 000014
【図７】
2018510527.tif 000015
【図８】
2018510527.tif 000016
【図９】
2018510527.tif 000017
【図１０】
2018510527.tif 000018
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
無線通信のユーザー機器側用の装置であって、
前記ユーザー機器のサービングセル及び/又は隣接セルの無線リソース管理用のセル専用のダイナミックオフセット情報を取得するように配置され、セル専用のダイナミックオフセットが相応するセルの伝送容量に関係し、前記伝送容量がセルマルチアンテナ伝送機能ゲインと、負荷状況との少なくとも一つを含む情報取得ユニットと、
前記サービングセルと前記隣接セルとの参照信号を測定するように配置される測定ユニットと、
前記ユーザー機器の接続状態に応じて、前記セル専用のダイナミックオフセット、及び前記サービングセルと前記隣接セルとに対する測定結果に基づいて、セル再選択又は測定報告を行うように配置されるセル再選択/測定報告ユニットとを含む装置。
【請求項２】
前記セルマルチアンテナ伝送機能ゲインは、セルプリコーディングゲイン及び/又はビームフォーミングゲインを含む請求項１に記載の装置。
【請求項３】
前記セル専用のダイナミックオフセットはセル負荷に関係し、負荷が大きいほど、オフセット値が小さくなる請求項２に記載の装置。
【請求項４】
前記情報取得ユニットは、前記ユーザー機器の無線リソース制御接続状態が接続済みである場合に、前記ユーザー機器のサービングセルからの測定配置情報を取得するように配置され、前記測定配置情報は、前記ダイナミックオフセット、及び前記ダイナミックオフセットを加味した報告トリガーイベントに関する測定報告配置を含む請求項１に記載の装置。
【請求項５】
前記セル再選択/測定報告ユニットは、
少なくとも、前記セル専用のダイナミックオフセットと、前記測定結果と、前記測定報告配置とに基づいて、前記測定報告をトリガーするように配置される測定報告トリガーモジュールをさらに含む請求項４に記載の装置。
【請求項６】
前記セル再選択/測定報告ユニットは、前記セル専用のダイナミックオフセットを加味した報告トリガーイベントを満たす隣接セルの測定結果を測定報告に含ませるように配置される測定報告生成モジュールをさらに含む請求項４に記載の装置。
【請求項７】
前記セル専用のダイナミックオフセット情報が含まれた測定配置情報は、RRCシグナリングに含まれる請求項４に記載の装置。
【請求項８】
セル再選択の完了後、セル再選択の対象セルへ、特定された時セルダイナミックオフセットを加味したことを示す機器能力マークを送信するように配置される能力マーク送信ユニットをさらに含む請求項１に記載の装置。
【請求項９】
前記能力マーク送信ユニットは、RRCシグナリングで前記機器能力マークを送信するように配置される請求項８に記載の装置。
【請求項１０】
前記測定結果は、参照信号受信電力と参照信号受信品質との少なくとも一つに関する測定値を含む請求項１に記載の装置。
【請求項１１】
前記セル再選択/測定報告ユニットは、前記セル専用のダイナミックオフセット情報と、前記測定結果とに基づいて、測定したセルに対してソートを行い、ソート結果に基づいて、アクセスするセルを特定するように配置される請求項１０に記載の装置。
【請求項１２】
前記情報取得ユニットは、システム情報又は前記ユーザー機器に記録されている履歴情報により前記セル専用のダイナミックオフセット情報を取得する請求項１に記載の装置。
【請求項１３】
前記情報取得ユニットは、前記サービングセルの基地局からRRCシグナリングを受信することで、前記サービングセルと隣接セルとのセル専用のダイナミックオフセット情報を取得する請求項１に記載の装置。
【請求項１４】
無線通信のユーザー機器側用の方法であって、
前記ユーザー機器のサービングセル及び/又は隣接セルの無線リソース管理用のセル専用のダイナミックオフセット情報を取得し、セル専用のダイナミックオフセットが相応するセルの伝送容量に関係し、前記伝送容量がセルマルチアンテナ伝送機能ゲインと、負荷状況との少なくとも一つを含み、
前記サービングセルと前記隣接セルとの参照信号を測定し、且つ、
前記ユーザー機器の接続状態に応じて、前記セル専用のダイナミックオフセット、及び前記サービングセルと前記隣接セルとに対する測定結果に基づいて、セル再選択又は測定報告を行うことを含む方法。
【請求項１５】
一つ又は複数のプロセッサを含む、無線通信のユーザー機器側用の装置であって、
前記一つ又は複数のプロセッサは、
前記ユーザー機器のサービングセル及び/又は隣接セルの無線リソース管理用のセル専用のダイナミックオフセット情報を取得し、セル専用のダイナミックオフセットが相応するセルの伝送容量に関係し、前記伝送容量がセルマルチアンテナ伝送機能ゲインと、負荷状況との少なくとも一つを含み、
前記サービングセルと前記隣接セルとの参照信号を測定し、且つ、
前記ユーザー機器の接続状態に応じて、前記セル専用のダイナミックオフセット、及び前記サービングセルと前記隣接セルとに対する測定結果に基づいて、セル再選択又は測定報告を行うように配置される装置。
【請求項１６】
前記装置は、ユーザー機器であり、
前記セル専用のダイナミックオフセット情報を受信し、且つ、
前記隣接セルへランダムアクセス要求を、又は前記サービングセルへ前記測定報告を送信するように配置されるトランシーバをさらに含む請求項１５に記載の装置。
【請求項１７】
回路を含む、無線通信のユーザー機器側用の装置であって、
前記回路は、
前記ユーザー機器がセル再選択を実行するためのシステム情報を取得し、情報ユニットSystemInformationBlockType３によりサービングセルのセル負荷状況に関するセル再選択パラメータを取得し、情報ユニットSystemInformationBlockType５により隣接セルのセル負荷状況に関するセル再選択パラメータを取得し、
RRCアイドル状態において、前記サービングセルと前記隣接セルとを測定し、且つ、
セル負荷状況に関する前記セル再選択パラメータ、及び前記サービングセルと前記隣接セルとの測定結果に基づいて、セル再選択を行うように配置される装置。
【請求項１８】
前記隣接セルのセル負荷が小さいほど、当該隣接セルが対象セルとして再選択される可能性が大きくなる請求項１７に記載の装置。
【請求項１９】
無線通信の基地局装置側用の方法であって、
ユーザー機器がセル再選択を実行するためのシステム情報を生成し、サービングセルのセル負荷状況に関するセル再選択パラメータを情報ユニットSystemInformationBlockType３に含ませ、隣接セルのセル負荷状況に関するセル再選択パラメータを情報ユニットSystemInformationBlockType５に含ませ、且つ、
前記システム情報を前記ユーザー機器に提供することを含む方法。
【請求項２０】
無線通信のユーザー機器側用の方法であって、
前記ユーザー機器がセル再選択を実行するためのシステム情報を取得し、情報ユニットSystemInformationBlockType３によりサービングセルのセル負荷状況に関するセル再選択パラメータを取得し、情報ユニットSystemInformationBlockType５により隣接セルのセル負荷状況に関するセル再選択パラメータを取得し、
RRCアイドル状態において、前記サービングセルと前記隣接セルとを測定し、且つ、
セル負荷状況に関する前記セル再選択パラメータ、及び前記サービングセルと前記隣接セルとの測定結果に基づいて、セル再選択を行うことを含む方法。
【国際調査報告】
2018510527.tif 000019
2018510527.tif 000020
2018510527.tif 000021
2018510527.tif 000022
2018510527.tif 000023
2018510527.tif 000024